(57)【要約】 【課題】  既設の計量装置から他計量データを取得し、計量データ中継システムによって他計量データを中継することが可能な、計量データ中継システムを提供する。【解決手段】  中継装置１は、他計量装置３が備える表示部３００を撮像する撮像装置１０２と、撮像した画像を解析し他計量装置３が計量した計量データを抽出する他計量データ抽出部１０３と、タイマ部１０１により定期的に、または非定期に撮像装置１０２および他計量データ抽出部１０３を起動し、他計量データ抽出部１０３が抽出した他計量データを集計装置２へ送信する送受信制御部１０５を有し、集計装置２は、他計量データを受信する計量データ受信部２００と、受信した他計量データを解析し当該他計量データの転送先を特定する転送先特定部２０２と、特定した転送先へ当該他計量データを転送する他計量データ転送部２０３と、を有する他計量データ中継機能を有する計量データ中継システム。【選択図】  図２
2014092926.tif 000002
【特許請求の範囲】
【請求項１】
ローカル接続された計量装置が計量した計量データを所定の集計装置へ中継する１以上の中継装置と前記集計装置から成る計量システムにおいて、
前記中継装置は、自計量装置とは異なる他計量装置が備える表示部を撮像する他計量装置表示部撮像手段と、前記他計量装置表示部撮像手段が撮像した表示部の画像を解析し前記他計量装置が計量した他計量データを抽出する他計量データ抽出手段と、定期的または非定期に前記他計量装置表示部撮像手段および他計量データ抽出手段を起動し前記他計量データ抽出手段が抽出した他計量データを前記集計装置へ送信する他計量データ送信手段と、を有し、
前記集計装置は、前記１以上の中継装置から他計量データを受信する他計量データ受信手段と、前記他計量データ受信手段が受信した他計量データを解析し当該他計量データの転送先を特定する他計量データ転送先特定手段と、前記特定した転送先へ当該他計量データを転送する他計量データ転送手段と、を有することを特徴とする他計量データ中継機能を有する計量データ中継システム。
【請求項２】
ローカル接続された計量装置が計量した計量データを所定の集計装置へ中継する１以上の中継装置と前記集計装置から成る計量システムにおいて、
前記中継装置は、自計量装置とは異なる他計量装置が備える表示部を撮像する他計量装置表示部撮像手段と、定期的または非定期に前記他計量装置表示部撮像手段を起動し前記他計量装置表示部撮像手段が撮像した表示部の画像を前記集計装置へ送信する他計量データ転送手段と、を有し、
前記集計装置は、前記１以上の中継装置から前記表示部の画像を受信する他計量装置表示部画像受信手段と、前記他計量装置表示部画像受信手段が受信した他計量装置表示部画像を解析し他計量装置が計量した他計量データを抽出し、当該他計量データを所定の転送先へ転送する他計量データ転送手段と、を有することを特徴とする他計量データ中継機能を有する計量データ中継システム。
【請求項３】
請求項１または２に記載の計量システムにおいて、
前記他計量装置表示部撮像手段が撮像した画像に日付，ＩＤ等の文字情報を重畳することを特徴とする他計量データ中継機能を有する計量データ中継システム。
【発明の詳細な説明】
【技術分野】
【０００１】
本発明は、計量装置が計量した計量データを所定の送信先へ中継する中継装置と、計量データを受信する集計装置から成る計量データ中継システムに関する。
【背景技術】
【０００２】
従来、電気、ガス、水道等の計量器の検針において、検針員が各家庭に赴いて設置されているメータを１つずつ検針するという人件費に係る問題があり、これを解決するために自動検針システムの確立が求められていた。この問題の解決手法として各計量メータを統合して計量値を獲得する技術がある（特許文献１）。
【０００３】
しかしながら、特許文献1に記載されている技術では設置されている既存の電力（ガス、水道）計量メータを、通信端局と接続できる計量メータに交換、または新設する必要があり、各公益事業会社の負担コストが大きいという問題点があった。
【先行技術文献】
【特許文献】
【０００４】
【特許文献１】特開２００３−１３２４７５号公報
【発明の概要】
【発明が解決しようとする課題】
【０００５】
本発明の課題は、既設の計量装置を利用して計量データを取得し、計量データ中継システムによって計量データを中継することが可能な、計量データ中継システムを提供することにある。
【課題を解決するための手段】
【０００６】
上記課題を解決するために、第１の発明は、ローカル接続された計量装置が計量した計量データを所定の集計装置へ中継する１以上の中継装置と前記集計装置から成る計量システムにおいて、前記計量装置は、自計量装置とは異なる他計量装置が備える表示部を撮像する他計量装置表示部撮像手段と、前記他計量装置表示部撮像手段が撮像した表示部の画像を解析し前記他計量装置が計量した他計量データを抽出する他計量データ抽出手段と、定期的または非定期に前記他計量装置表示部撮像手段および他計量データ抽出手段を起動し前記他計量データ抽出手段が抽出した他計量データを前記集計装置へ送信する他計量データ送信手段と、を有し、  前記集計装置は、前記１以上の中継装置から他計量データを受信する他計量データ受信手段と、前記他計量データ受信手段が受信した他計量データを解析し当該他計量データの転送先を特定する他計量データ転送先特定手段と、前記特定した転送先へ当該他計量データを転送する他計量データ転送手段と、を有することを特徴とする。
【０００７】
また、第２の発明は、ローカル接続された計量装置が計量した計量データを所定の集計装置へ中継する１以上の中継装置と前記集計装置から成る計量システムにおいて、前記計量装置は、自計量装置とは異なる他計量装置が備える表示部を撮像する他計量装置表示部撮像手段と、定期的または非定期に前記他計量装置表示部撮像手段を起動し前記他計量装置表示部撮像手段が撮像した表示部の画像を前記集計装置へ送信する他計量データ転送手段と、を有し、前記集計装置は、前記１以上の中継装置から前記表示部の画像を受信する他計量装置表示部画像受信手段と、前記他計量装置表示部画像受信手段が受信した他計量装置表示部画像を解析し他計量装置が計量した他計量データを抽出し、当該他計量データを所定の転送先へ転送する他計量データ転送手段と、を有することを特徴とする。
【発明の効果】
【０００８】
本発明によれば、既設の計量装置の表示値を撮像することで計量データを取得し、既存の計量データ中継システムによって計量データを中継することが可能な、計量データ中継システムを提供できる。
【０００９】
また、中継装置のソフト変更や、中継装置の各メータを接続する入力部に撮像装置を接続することで、計量装置の交換、新設を行うより安価にシステムの構築が可能となるため、自中継装置に接続されている計量装置、例えば電力会社の計量装置の計量データのみならず、他の計量装置、例えば、ガス会社や水道会社といった公益事業会社が設置している計量装置の計量データをもデータフォーマットの変換なしに所定の宛先へ中継することが可能となり、開発コストを抑えることができる。
【図面の簡単な説明】
【００１０】
【図１】本発明の実施形態に係わる中継システムの全体構成図
【図２】本発明の中継装置および集計装置のブロック構成図
【図３】本発明における中継装置の動作フローチャート図
【図４】本発明における集計装置の動作フローチャート図
【発明を実施するための形態】
【００１１】
以下、本発明について図面を用いて説明する。図１は本発明の実施形態に係わる中継システムの全体構成図である。
【００１２】
本発明の中継システムは中継装置１と、集計装置２と、中継装置１に接続される他計量装置３と、ローカル接続計量装置４によって構成されている。
中継装置１と他計量装置３とローカル接続計量装置４は例えば１世帯ごとに設置されており、中継装置１−１〜３は他計量装置３−１〜３とローカル接続計量装置４−１〜３が計量した計量データをそれぞれ受け取り、集計装置２に向けて送信を行う。この場合、中継装置１のいずれかが他の中継装置から送信された計量データを受信して、集計装置２へ中継する場合もある。
【００１３】
集計装置２−１は各計量データを受信して集計を行う。また集計装置２−１が集計するべき計量データではないと判定された場合は、受信した計量データの転送先を特定し、他集計装置２−２へ転送する。
【００１４】
図２は、本発明の中継装置１および集計装置２のブロック構成図である。中継装置１には、他計量装置３と、ローカル接続計量装置４が接続されており、計量データを集計装置２に直接、または他中継装置５を中継して送信し、集計装置２は他計量装置３から得た他計量データを受信すると計量データ転送先に転送する。
【００１５】
初めに、中継装置１の構成について説明する。中継装置１は、撮像装置制御部１００と、タイマ部１０１と、撮像装置１０２と、他計量データ抽出部１０３と、データ中継制御部１０４と、送受信制御部１０５と、ローカル通信部１０６によって構成されている。
【００１６】
撮像装置制御部１００は、撮像装置１０２の動作に係る制御を行い、撮像装置１０２から渡された制御他計量装置３の計量データ表示部３００の画像を他計量データ抽出部１０３に渡す。また、撮像装置１０２を動作させるタイミングはタイマ部１０１により定期的に、またはデータ中継制御部１０４からの指示により非定期に行うことが可能である。
【００１７】
タイマ部１０１は、撮像装置制御部１００が撮像装置１０２の動作に係る制御を行うタイミングを指示する。タイマ部１０１はシステム時計等を用いるものであってもよい。
【００１８】
撮像装置１０２は、撮像装置制御部１００によって制御され、他計量装置３が有する計量データ表示部３００を撮像し、撮像した画像を撮像装置制御部１００に渡す。撮像装置１０２は一般的なＣＣＤ(Charge Coupled Device)カメラを想定しているがその限りではない。
【００１９】
他計量データ抽出部１０３は、撮像装置制御部１００から計量データ表示部３００の画像を受け取り、画像解析を行い他計量装置３のメータ値を他計量データとして抽出する。抽出した他計量データは送受信制御部１０５に渡す。なお、ここでの画像解析とは例えばＯＣＲ（Optical Character Reader）を用いてメータ値を読み取るといった、公知技術を用いるものであるため、説明は省略する。
【００２０】
データ中継制御部１０４は、撮像装置制御部１００に撮像装置１０２を動作させるよう指示を行う。また、他計量データ抽出部１０３から他計量データを、ローカル通信部１０６からローカル接続計量装置４が計量した自計量データを受信すると、計量日・自装置のＩＤを付与して送受信制御部１０５に渡す。
【００２１】
送受信制御部１０５は、データ中継制御部１０４から受け取った他計量データまたは自計量データを所定の送信先へ送信する。また、他中継装置５から所定のデータを受信した場合は、さらに別の中継装置、または集計装置２に中継を行う。なお、他の機器との接続は無線であっても有線であってもよい。
【００２２】
ローカル通信部１０６は、ローカル接続計量装置４とローカル接続されており、から自計量データを受け取るとデータ中継制御部１０４に渡す。
【００２３】
また、他計量装置３が有する計量データ表示部３００は、通常のメータを示すものであるため説明を割愛する。
【００２４】
次に、集計装置２の構成について説明する。集計装置２は、計量データ受信部２００と、他計量データ集計制御部２０１と、転送先特定部２０２と、データ集計部２０３と、他計量データ転送部２０４によって構成されている。
【００２５】
計量データ受信部２００は、送受信制御部１０５または他中継装置５からの計量データを受信し、自集計装置宛ての計量データか否かにより振り分けを行う。他計量データを受信した場合は他計量データ集計制御部２０１に、自計量データであった場合はデータ集計部２０４に受信したデータを渡す。
【００２６】
他計量データ集計制御部２０１は、計量データ受信部２００により振り分けられた他計量データを受け取り、転送先特定部２０２に指示して当該他計量データを転送すべき宛先を特定させ、他計量データ転送部２０３に渡す。
【００２７】
転送先特定部２０２は、他計量データ集計制御部２０１の指示により、他計量データを転送すべき宛先を特定する。なお、ここで転送先を特定する方法については中継装置１によって特定可能なコード等があらかじめ付与され、それを他計量データから読みだし、転送先特定部２０２があらかじめ有する転送先と照合して特定するものであってもよい。またはデータ種別、または書式等の違いから照合するものであってもよい。
【００２８】
他計量データ転送部２０３は、転送先特定部２０２が特定した転送先を他計量データにセットして他計量データ転送先に送信する。なお、転送先との接続は本実施例の装置間接続と同様、無線であっても有線であってもよい。
【００２９】
データ集計部２０４は、計量データ受信部２００から自計量データを受け取りデータを格納する。
【００３０】
図３は、本発明における中継装置１の動作フローチャート図である。図２を適宜併用した上で説明する。
【００３１】
本フローチャートは、中継装置１の電源を入れた状態からスタートし、計量タイミングが到来したか否か（Ｓ３００）、ローカル接続計量装置４から自計量データを受信したか否か（Ｓ３０４）、他中継装置５から計量データを受信したか否か（Ｓ３０６）を繰り返す。
【００３２】
まず、タイマ部１０１、またはデータ中継制御部１０４の指示により計量タイミングとなった場合（Ｓ３００、ＹＥＳ）、撮像装置制御部１００は撮像装置１０２を起動し、撮像装置１０２は他計量装置３の計量データ表示部３００を撮像する（Ｓ３０１）。撮像した画像は他計量データ抽出部１０３に送られ、画像解析によって当該画像の表示値を他計量データとして抽出する（Ｓ３０２）。抽出した他計量データに自装置のＩＤ、計量日時を付与して集計装置２に宛てて送信し（Ｓ３０３）、Ｓ３００に戻る。
【００３３】
次に、計量タイミングが到来せず（Ｓ３００、ＮＯ）、ローカル接続計量装置４から自計量データを受信した場合（Ｓ３０４、ＹＥＳ）、ローカル通信部１０６が受信した自計量データはデータ中継制御部１０４、送受信制御部１０５により直接、または他中継装置５を中継して集計装置２に送信され（Ｓ３０５）、Ｓ３００に戻る。
【００３４】
また、計量タイミングが到来せず（Ｓ３００、ＮＯ）、自計量データを受信せず（Ｓ３０４、ＮＯ）、他中継装置５からデータを受信した場合は（Ｓ３０６、ＹＥＳ）、受信したデータはそのままさらに別の中継装置、または集計装置２に中継して（Ｓ３０７）、Ｓ３００に戻る。
【００３５】
図４は、本発明における集計装置２の動作フローチャート図である。図２を適宜併用した上で説明する。
【００３６】
本フローチャートは集計装置２の電源を入れた状態からスタートし、他計量データを受信したか否か（Ｓ４００）、自計量データを受信したか否か（Ｓ４０３）を繰り返す。
【００３７】
まず、中継装置１から計量データを受信し、計量データ受信部２００によって振り分けられた計量データが他計量データであった場合（Ｓ４００、ＹＥＳ）、受信した他計量データは転送先特定部２０２によって解析され、転送すべき宛先を特定する（Ｓ４０１）。次に、他計量データ転送部２０３は当該他計量データにＳ４０１で特定した転送先をセットして送信して（Ｓ４０２）、Ｓ４００に戻る。
【００３８】
次に、計量データ受信部２００によって振り分けられた計量データが他計量データではなく（Ｓ４００、ＮＯ）、自計量データであった場合（Ｓ４０３、ＹＥＳ）、受信した自計量データをデータ集計部２０４に格納して（Ｓ４０４）、Ｓ３００に戻る。
【００３９】
以上、実施例について説明をしたが、本発明は要旨を逸脱しない範囲での変更が可能である。例えば本実施例においては撮像した画像の解析、他計量データの抽出を各々の中継装置が行うように説明をしたが、これを集計装置が一括して行うものであってもよい。中継装置１は、撮像装置１０２によって撮像した画像を集計装置２へ画像のまま送信し、集計装置２には他計量データ抽出部１０３を設け、受信した当該画像を解析して他計量データを抽出すればよい。この場合の効果としては、各中継装置が画像を解析する機能を持たなくてよいため、中継装置の部品点数を抑え、より安価に設置することが可能という利点がある。
【符号の説明】
【００４０】
１・・・中継装置
２・・・集計装置
３・・・他計量装置
４・・・ローカル接続計量装置
５・・・他中継装置
１００・・・撮像装置制御部
１０１・・・タイマ部
１０２・・・撮像装置
１０３・・・他計量データ抽出部
１０４・・・データ中継制御部
１０５・・・送受信制御部
１０６・・・ローカル通信部
２００・・・計量データ受信部
２０１・・・他計量データ集計制御部
２０２・・・転送先特定部
２０３・・・他計量データ転送部
２０４・・・データ集計部
３００・・・計量データ表示部
【図１】
2014092926.tif 000003
【図２】
2014092926.tif 000004
【図３】
2014092926.tif 000005
【図４】
2014092926.tif 000006